(57)【要約】【課題】サイドブラケットから外れたりズレ動いたりすることのない、リクライニング機構のインナーカバーを提供する。【解決手段】シートバック側のサイドブラケット２とシートクッション側のサイドブラケット３との間に配置されるリクライニング機構Ｒをサイドブラケット２，３のうちの内側に位置するサイドブラケット２を含めて内方より被包するインナーカバー１であって、サイドブラケット２の周縁部２ａに引掛けられる係止爪１ｂを備えたインナーカバー１において、サイドブラケット２に設けた止め穴２ｂに圧入係止されるボス１ｃをインナーカバー１の内側に設けた。【選択図】図１
2005118328.tif 000002
【特許請求の範囲】
【請求項１】
シートバック側のサイドブラケットとシートクッション側のサイドブラケットとの間に配置されるリクライニング機構をそれらサイドブラケットのうちの内側に位置するサイドブラケットを含めて内方より被包するインナーカバーであって、内側に位置するサイドブラケットの周縁部に引掛けられる係止爪を備えたインナーカバーにおいて、内側に位置するサイドブラケットに設けた止め穴に圧入係止されるボスをインナーカバーの内側に設けたことを特徴とするリクライニング機構のインナーカバー。
【発明の詳細な説明】
【技術分野】
【０００１】
本発明は、シートバック側のサイドブラケットとシートクッション側のサイドブラケットとの間に配置されるリクライニング機構をそれらサイドブラケットのうちの内側に位置するサイドブラケットを含めて内方より被包するリクライニング機構のインナーカバーの改良に関するものである。
【背景技術】
【０００２】
一般に、自動車用シートとしては、シートバック側のサイドブラケットとシートクッション側のサイドブラケットとを重ね合わせ、それらサイドブラケット間にリクライニング機構を配置したものが知られている。
【０００３】
そのリクライニング機構とこれらサイドブラケットのうちの内側に位置するブラケットは、内方よりインナーカバーにて被包されている。このインナーカバーは、その本体内面より突出した複数の係止爪を有し、その係止爪を内側に位置するブラケットの周縁部に引っ掛けることによりそのサイドブラケットを含めてリクライニング機構を被包する如くサイドブラケットに取付けられている。
【０００４】
然し、シートに過度の荷重が加わったり、シートバックを回転させた際やスライド式シートのようにシートをスライド移動させた際に、インナーカバーがズレ動いたり或いはサイドブラケットから外れて離脱してしまうという事態があった。
【発明の開示】
【発明が解決しようとする課題】
【０００５】
本発明が解決しようとする課題は、ズレ動いたり或いはサイドブラケットから外れることなく確りと取付けることの可能なインナーカバーを提供することにある。
【課題を解決するための手段】
【０００６】
本発明は、シートバック側のサイドブラケットとシートクッション側のサイドブラケットとの間に配置されるリクライニング機構をそれらサイドブラケットのうちの内側に位置するサイドブラケットを含めて内方より被包するインナーカバーであって、内側に位置するサイドブラケットの周縁部に引掛けられる係止爪を備えたインナーカバーにおいて、内側に位置するサイドブラケットに設けた止め穴に圧入係止されるボスをインナーカバーの内側に設けたことを特徴とする。
【発明の効果】
【０００７】
本発明に係るインナーカバーは、内側に位置するサイドブラケットに設けた止め穴に圧入係止されるボスを備えているので、ズレ動いたり、そのサイドブラケットより脱落したりすることなく確りと取付けることができる。
【発明を実施するための最良の形態】
【０００８】
以下、図面を参照して、本発明に係るインナーカバーの実施形態について説明する。図１〜図３を参照すると、インナーカバー１は、好適な硬質樹脂にて形成され、シートバック側のサイドブラケット２とシートクッション側のサイドブラケット３とを重ね合わせ、それらサイドブラケット２，３間に配置されたリクライニング機構Ｒを内側に配置したサイドブラケット２と共に内方より被包するものとして構成されている。リクライニング機構Ｒは、それの作動軸Ｒ１がサイドブラケット２，３を貫通した状態でサイドブラケット２，３間に配置されている。
【０００９】
図示実施形態においては、シートクッション側のサイドブラケット３を外側に配置すると共に、シートバック側のサイドブラケット２を内側に配置し、それらの間にリクライニング機構Ｒを挟込み配置したものとして構成したが、シートクッション側のサイドブラケット３を内側に配置し、シートバック側のサイドブラケット２を外側に配置してもよい。
【００１０】
図示実施形態において内側に配置されたシートバック側のサイドブラケット２は、立上り周縁部２ａと、ブラケット板面に離間して形成された一対の止め穴２ｂとを有している。
【００１１】
インナーカバー１には、リクライニング機構Ｒの作動軸Ｒ１が挿通される切欠き１ａが形成され、更に、その切欠き１ａを間に挟んで内側より突出した一対の中空ボス１ｂが設けられている。また、インナーカバー１には、その内側より互いに離間突出した４本の係止爪１ｃが設けられ、それら係止爪１ｃの先端部は、後述する如くサイドブラケット２の立上り周縁部２ａに確りと引掛けることができるように略Ｌ字状に折曲形成されている。尚、インナーカバー１の内面に複数の補強リブを設けるよう構成してもよい。
【００１２】
このように構成されたインナーカバー１は、ボス１ｂをサイドブラケット２の止め穴２ｂ内に圧入係止させると共に、係止爪１ｃをサイドブラケット２の立上り周縁部２ａに掛け止めることにより、サイドブラケット２を含むリクライニング機構Ｒを被包するようにサイドブラケット２に取り付けられる。
【００１３】
そのようにしてサイドブラケット２に取付けられたインナーカバー１は、係止爪１ｃがサイドブラケット２の立上り周縁部２ａに引掛けられていることに加えて、ボス１ｂがサイドブラケット２の止め穴２ｂ内に圧入された状態となっているので、ズレ動いたり或いはサイドブラケット２から離脱することなく確りとサイドブラケット２に取付け可能となる。
【００１４】
尚、図４に示したように、ボス１ｂの先端部を略鏃状に形成することもできる。この場合には、サイドブラケット２の止め穴２ｂにボス１ｂを圧入した時に、ボス１ｂの鏃状先端部が変形しつつ止め穴２ｂを貫通し、貫通後に復元して鏃状先端部の裾部がサイドブラケット２の板面と係合するようになるので、インナーカバー１はより確りとサイドブラケット２に取付けられるようになる。また、ボス１ｂの鏃状先端部を中空状に形成することもできる。そのように構成すれば、サイドブラケット２の止め穴２ｂへの圧入時に、鏃状先端部は変形し易くなり、止め穴２ｂへの圧入をより簡単に行うことができるようになる。
【図面の簡単な説明】
【００１５】
【図１】本発明に係るインナーカバーと二つのサイドブラケットとを内側より見た斜視図である。
【図２】図１に示したインナーカバーの内側を示した図である。
【図３】図２中のＡ−Ａ線に沿ったインナーカバーの断面図である。
【図４】インナーカバーの変形例を示した断面図である。
【符号の説明】
【００１６】
１        インナーカバー
１ｂ      インナーカバーのボス
１ｃ      インナーカバーの係止爪
２        シートバック側のサイドブラケット
２ａ      立上り周縁部
２ｂ      止め穴
３        シートクッション側のサイドブラケット
Ｒ        リクライニング機構
【図１】
2005118328.tif 000003
【図２】
2005118328.tif 000004
【図３】
2005118328.tif 000005
【図４】
2005118328.tif 000006